(57)【要約】【課題】  人体脚部のみならず、他の施療部位も施療する事が可能であり、また使用者の所望する様々な姿勢に適応しながら施療する事のできる足マッサージ機を提供する。【解決手段】  足マッサージ機１ａとして、人体脛部を施療する左右一対の施療凹部２１ａを備えた脛部施療体２ａを設けると共に、さらに該脛部施療体２ａの上端と施療機構である座部膨縮袋４１ａを備えた座部施療体４ａの前端とを前後方向に回動連結部６ａにより回動自在に連結し、更に座部施療体４ａの後端と施療機構である背凭れ部膨縮袋５１ａを備えた背凭れ部施療体５ａの下端とを前後方向に回動連結部６ａにより回動自在に連結して構成する。【選択図】    図１
2006130101.tif 000002
【特許請求の範囲】
【請求項１】
人体脛部を施療する左右一対の施療凹部を備えた脛部施療体を設け、さらに脛部施療体の上端と施療機構を備えた座部施療体の前端とを前後方向に回動自在に連結すると共に、座部施療体の後端と施療機構を備えた背凭れ部施療体の下端とを前後方向に回動自在に連結し、脛部施療体と座部施療体と背凭れ部施療体とは夫々互いに重合状に折り畳む事ができる事を特徴とする足マッサージ機。
【請求項２】
前記座部施療体と前記背凭れ部施療体とを互いに重合状に折り畳んだ状態では、背凭れ部施療体の重合側反対面で施療が可能である事を特徴とする請求項１記載の足マッサージ機。
【請求項３】
前記脛部施療体と前記座部施療体と前記背凭れ部施療体とを夫々互いに重合状に折り畳んだ状態で、前記背凭れ部施療体の重合側反対面が設置面となり、脛部施療体による施療を行なわせる事ができる事を特徴とする請求項１及び請求項２記載の足マッサージ機。
【発明の詳細な説明】
【技術分野】
【０００１】
本発明は、人体脚部と共に他の施療部位も施療する事が可能であると共に、使用者の所望する様々な姿勢においても適応しながら施療する事のできる足マッサージ機に関するものである。
【背景技術】
【０００２】
従来、人体脚部を施療する事のできる足マッサージ機としては、例えば図１７に示すようなものが知られている。該足マッサージ機１３は、人体足先部を載せて足裏を施療する足載せ台１４と、該足載せ台１４上方に設けられた人体脛部を施療する左右一対の凹部３２とから構成しており、使用者が座る椅子の前方床面等に設置して、使用者が椅子に座った姿勢で足載せ台１４に足裏を載せつつ各凹部３２に脛部を挿入して各施療部位を施療するようにしているものである。
【特許文献１】特開２００１−７０３８３号公報（第５頁、図１）
【発明の開示】
【発明が解決しようとする課題】
【０００３】
ところで、上記のような従来の足マッサージ機は、一定の高さを有する椅子との併用による使用が必須の条件であり、使用者はこのような所定高さの椅子に着座した姿勢で脚部に対する施療を受けなければならないため、脚部を設けていない座椅子や床面マット等での使用やベッド上等での使用は不可能であり、椅子以外での使用には適さないものであった。
【０００４】
また、施療範囲においては人体脚部に限られる為、脚部と同時に他の施療部位に対する施療をも所望する使用者にとっては、物足りなさを感じるものでもあった。
【０００５】
そこで、本発明は、上記問題点を解消する為に成されたものであり、人体脚部のみならず、他の施療部位をも施療する事が可能であり、また使用者の所望する様々な姿勢に適応しながら施療する事のできる足マッサージ機を提供する事を目的とするものである。
【課題を解決するための手段】
【０００６】
すなわち、本発明の足マッサージ機は、人体脛部を施療する左右一対の施療凹部を備えた脛部施療体を設けると共に脛部施療体の上端と施療機構を備えた座部施療体の前端とを前後方向に回動自在に連結している。また、座部施療体の後端と施療機構を備えた背凭れ部施療体の下端とも前後方向に回動自在に連結している。そして、これらの脛部施療体と座部施療体と背凭れ部施療体とは夫々互いに重合状に折り畳む事ができるように構成している。
【０００７】
また、本発明の足マッサージ機は、座部施療体と背凭れ部施療体とを重合状に折り畳んだ状態では、背凭れ部施療体の重合側反対面で施療を可能にする事ができるように構成している。
【０００８】
更に、本発明の足マッサージ機は、脛部施療体と座部施療体と背凭れ部施療体との全てを重合状に折り畳んだ状態では、背凭れ部施療体の重合側反対面が設置面となり、脛部施療体による施療を行なわせる事ができるよう構成している。
【発明の効果】
【０００９】
よって、本発明の請求項１に記載した足マッサージ機は、脛部施療体と座部施療体と背凭れ部施療体とを有する構成である為、人体脚部のみならず人体大腿部或いは尻部の施療に加え、腰部或いは背部に対しても施療する事が可能であり、また、脛部施療体と座部施療体と背凭れ部施療体とは、夫々互いに重合状に折り畳む事ができるように構成している為、また椅子或いは座椅子上表面に沿うよう適宜に変形（重合）させて設置する事で、使用者が着座姿勢においても任意の施療を受ける事ができる。
【００１０】
また、本発明の請求項１に記載した足マッサージ機は、前記のように、脛部施療体と座部施療体と背凭れ部施療体とを夫々互いに重合状に折り畳む事ができるように構成している為、床面上やマット或いはベッド等の比較的扁平状の場所での使用を要する場合には、これらに沿うよう適宜に変形（重合）させて設置する事で、使用者は仰臥姿勢や上半身を起立させた着座姿勢での施療を受ける事ができる。
【００１１】
更に、本発明の請求項１に記載した本発明の足マッサージ機は、人体大腿部や尻部の他、腰部或いは背部での施療を所望しない場合には、脛部施療体と座部施療体と背凭れ部施療体とを重合状に折り畳む事ができる為、脛部施療体による脛部のみの施療を実施する事ができ、しかも、このような折畳んだ状態でコンパクトに収納する事ができる。
【００１２】
更にまた、本発明の請求項２に記載した足マッサージ機は、座部施療体と背凭れ部施療体とを重合状に折り畳んだ状態で、背凭れ部施療体の重合側反対面で施療を可能にしている為、背凭れ部のない椅子での施療や背凭れ部の施療を要しない場合に、該椅子の座面上に背凭れ部施療体を重合状に折り畳んで使用する事で、使用者が着座した状態で人体大腿部や尻部に対する施療を実施する事ができる。
【００１３】
更に、本発明の請求項３に記載した足マッサージ機は、脛部施療体と座部施療体と背凭れ部施療体との全てを重合状に折り畳み、背凭れ部施療体の重合側反対面を設置面として脛部施療体による施療を行なわせる事ができるようにしている為、座椅子に使用する場合において、使用者が脛部のみの施療を所望する場合には、この折り畳んだ状態で座椅子前方に左右一対の施療凹部が上方に開口するよう設置する事で、人体脛部に対する施療を実施する事ができる。
【００１４】
また、本発明の請求項３に記載した足マッサージ機は、前記した設置状態で、座部施療体や背凭れ部施療体の施療機構を作動させる事で、人体脛部全体を揺動させて牽引するような施療を施す事ができる。
【発明を実施するための最良の形態】
【００１５】
以下に、本発明の足マッサージ機を、図面に示す一実施形態に基づきこれを詳細に説明する。
【００１６】
図１乃至図５は本発明の足マッサージ機の一実施形態を示す斜視図であり、図６は本発明の足マッサージ機における脛部施療体及び足先部施療体の一実施形態を示す平面説明図であり、図７は本発明の足マッサージ機における座部施療体及び背凭れ部施療体の一実施形態を示す側断面説明図であり、図８乃至図１４は本発明の足マッサージ機における使用状態の一実施形態を示す側面説明図であり、図１５及び図１６は本発明の足マッサージ機における他の実施形態を示す斜視図であり、図１７は従来技術図面である。
【００１７】
すなわち、本発明の足マッサージ機１ａは、図１の実施形態で示したように、人体脛部を挿入して施療する左右一対の施療凹部２１ａを備えた脛部施療体２ａを設け、さらに該脛部施療体２ａの下端に人体足先部を挿入して施療する左右一対の施療孔部３１ａを備えた足先部施療体３ａを設けたものであり、更に脛部施療体２ａの上端と、施療機構である座部膨縮袋４１ａを備えた座部施療体４ａの前端とを左右一対の回動連結部６ａにて前後方向に回動自在に連結すると共に、座部施療体４ａの後端と施療機構である背凭れ部膨縮袋５１ａを備えた背凭れ部施療体５ａの下端とを左右一対の回動連結部６ａにて前後方向に回動自在に連結している。
【００１８】
前記脛部施療体２ａは、図１及び図６に示すように左右一対の前記施療凹部２１ａの夫々上部に、左右一対の上脛部膨縮袋２２ａを、更に施療凹部２１ａの夫々下部には、左右一対の下脛部膨縮袋２３ａを埋設している。
【００１９】
前記上脛部膨縮袋２２ａと下脛部膨縮袋２３ａとは、夫々エアホース（図示せず）を介して空気給排装置７ａによる圧縮空気の給排気によって膨縮及び膨張保持するよう構成している。
【００２０】
尚、空気給排装置７ａによる給排気は、制御部８ａにより制御するようにしており、該制御部８ａは脛部施療体２ａの片側側面において脱着自在に設けた操作部８１ａからの入力指示を受けて制御する。
【００２１】
また、前記各上脛部膨縮袋２２ａ・２２ａと前記各下脛部膨縮袋２３ａ・２３ａは、夫々各施療凹部２１ａ内部において左右相対状に配されると共に同時期に膨縮及び膨張保持するよう構成しており、人体脛部を施療凹部２１ａ内で左右両側から脛部に向けて挟圧型の膨縮施療を実施する事ができる。
【００２２】
更に、上脛部膨縮袋２２ａと下脛部膨縮袋２３ａとを夫々順次膨縮及び膨張保持するよう前記制御部８ａで前記空気給排装置７ａを制御させるようにする事で、人体脛部付近の血流等を促進させる事ができる。
【００２３】
前記足先部施療体３ａには、図１及び図６に示すように、左右一対の前記各施療孔部３１ａ・３１ａが設けられており、各施療孔部３１ａ・３１ａ内部の左右一対の両側壁部となる側壁部３１２ａ・３１２ａに、人体足先中間部を両側から膨縮及び膨張保持して挟圧施療する事ができるよう左右一対の足先側部膨縮袋３３ａ・３３ａと、人体足頸部付近を両側から膨縮及び膨張保持して挟圧施療する事ができる左右一対の足頸側部膨縮袋３２ａ・３２ａとを夫々設けている。
【００２４】
また、前記各施療孔部３１ａ・３１ａ内部における人体足裏が接触する底部３１１ａには、人体爪先裏に位置し膨縮及び膨張保持して押圧施療可能な足裏爪先部膨縮袋３４ａと、人体土不踏に位置し膨縮及び膨張保持して押圧施療可能な足裏土不踏部膨縮袋３５ａと、人体踵裏に位置し膨縮及び膨張保持して押圧施療可能な足裏踵部膨縮袋３６ａとを夫々配設している。
【００２５】
これら前記足頸側部膨縮袋３２ａや前記足先側部膨縮袋３３ａ、及び前記足裏爪先部膨縮袋３４ａや前記足裏土不踏部膨縮袋３５ａ、更に前記足裏踵部膨縮袋３６ａは、夫々前記空気給排装置７ａと該空気給排装置７ａを制御するための前述した制御部８ａよって人体足先部を効果的に施療するよう制御されている。
【００２６】
例えば、前記足頸側部膨縮袋３２ａと前記足先側部膨縮袋３３ａとを同時期に膨縮させると共に、前記足裏爪先部膨縮袋３４ａと前記足裏土不踏部膨縮袋３５ａ及び前記足裏踵部膨縮袋３６ａとを同時期に膨縮させるよう制御部８ａで制御させると共に、一方の前記足頸側部膨縮袋３２ａ及び前記足先側部膨縮袋３３ａと、他方の足裏爪先部膨縮袋３４ａや足裏土不踏部膨縮袋３５ａ及び足裏踵部膨縮袋３６ａとを、各々交互に膨縮動作するよう制御部８ａで制御するようにした場合には、人体足先に対して上下及び左右方向において交互に揉み解す施療を実施する事ができるものとなる。
【００２７】
前記座部施療体４ａは、図７に示したように、外装被覆部材４２ａで覆われており、その内底部には、外力による変形が少ない硬質樹脂等から形成された板状の剛性部材４３ａを配設すると共に、該剛性部材４３ａの上面には、人体当接部位に対してクッション材となるウレタンやその他の合成樹脂にて形成された弾性部材４４ａが敷設されており、該弾性部材４４ａの中央表面には、座部施療体４ａの幅方向に長い座部膨縮袋４１ａが位置ずれしないように敷設されている。
【００２８】
前記座部膨縮袋４１ａは、前記空気給排装置７ａや前記制御部８ａで膨縮及び膨張保持するように構成されており、座部施療体４ａに当接する人体尻部、或いは大腿部に対して上方へ押し上げる押圧施療を実施する事ができる。
【００２９】
また、前記背凭れ部施療体５ａも、外装被覆部材５２ａで覆われており、その内部中央には、外力による変形が少ない硬質樹脂等から形成された板状の剛性部材５３ａを配設すると共に、該剛性部材５３ａの表裏両面には、夫々人体当接部位に対してクッション材となるウレタンや合成樹脂等で形成された弾性部材５４ａが配設されており、該剛性部材５３ａの上部と下部には、背凭れ部施療体５ａの幅方向に夫々孔部５３１ａ・５３１ａが設けられており、各孔部５３１ａ・５３１ａの内部には、各孔部５３１ａ・５３１ａに嵌入される背凭れ部膨縮袋５１ａが夫々配設されている。
【００３０】
前記各背凭れ部膨縮袋５１ａは、夫々前記空気給排装置７ａや前記制御部８ａで膨縮及び膨張保持するように構成されており、背凭れ部施療体５ａに当接する人体腰部、或いは背部に対して後方から前方へ押し出す押圧施療を実施する事ができる。
【００３１】
また、前記各背凭れ部膨縮袋５１ａは、後述するように、背凭れ部施療体５ａの前後両面で施療部位への押圧施療を施す事ができるようにしている。
【００３２】
前記背凭れ部施療体５ａに配設される背凭れ部膨縮袋５１ａは、図２に示したように、背凭れ部施療体５ａの左右に一定間隔を存して縦列配備させる事もでき、このような配列を採用する事で、人体背部或いは腰部を両側から同時に押圧または挟圧したり交互に押圧したりする施療が行え、また、交互に押圧した場合には、人体上半身をその幅方向に揺さぶるような施療が行なえる。
【００３３】
よって、本発明の足マッサージ機１ａは、椅子或いは座椅子上表面に沿うよう変形させつつ設置して、使用者が着座姿勢において施療を受ける事ができるし、更には床面またはマット或いはベッド等の平坦な所に沿うよう変形しつつ設置する事ができ、使用者が仰臥姿勢または上半身だけ起立させた姿勢で施療を受ける事ができる。
【００３４】
すなわち、図８は、椅子Ｃの表面形状に沿って、前記脛部施療体２ａと前記座部施療体４ａ及び前記背凭れ部施療体５ａとをそれぞれ相互回動させて設置して椅子Ｃに着座する場合を例示しており、使用者は着座姿勢で背部または腰部、尻部或いは大腿部、また脛部と足先部を施療する事ができる。
【００３５】
また図３及び図９に示すように、椅子Ｃに着座した使用者が前記背凭れ部施療体５ａでの背部に対する施療を所望しない場合は、背凭れ部施療体５ａを前方へ回動させて前記座部施療体４ａと重合状になるよう折り畳んだ状態にして使用者がその上に着座して尻部或いは大腿部、また脛部と足先部に対する施療を受ける事ができる。
【００３６】
尚、前記した状態で、前記脛部施療体２ａの前記施療凹部２１ａで使用者の脛部をしっかり保持し、前記座部施療体４ａの前記座部膨縮袋４１ａと前記背凭れ部施療体５ａの前記背凭れ部膨縮袋５１ａとを同時期に膨縮動作させるようにした場合には、人体脛部と大腿部間におけるストレッチ作用をもたらす事ができる。
【００３７】
使用者が前記背凭れ部施療体５ａでの背部または腰部に対する施療及び前記座部施療体４ａでの尻部や大腿部に対する施療を所望しない場合等は、図４及び図１０に示すように、背凭れ部施療体５ａが座部施療体４ａに対して重合状に折り畳んだ状態にすると共に座部施療体４ａが脛部施療体２ａの背部に重合状に折り畳んだ状態にして、使用者は椅子Ｃに着座して脛部と足先部に対する施療を受ける事ができる。
【００３８】
尚、前記したように、脛部施療体２ａと座部施療体４ａと背凭れ部施療体５ａとが互いに重合状に折り畳む事で、足マッサージ機１ａをコンパクトに収納して保管する事ができる。
【００３９】
図１１は、本発明の足マッサージ機１ａを、座椅子等に設置した場合の実施形態を示したものであり、前記脛部施療体２ａと前記座部施療体４ａと前記背凭れ部施療体５ａとを互いに重合状に折り畳んだ状態にすると共に、背凭れ部施療体５ａの座部施療体４ａ側と反対側の面が座椅子前方床面の設置面に当接するように設置し、座椅子Ｃに着座した使用者の脛部及び足先部を脛部施療体２ａの前記施療凹部２１ａ開口側及び前記足先部施療体３ａに嵌装させる事で、脛部及び足先部を施療する事ができる。
【００４０】
図１２は、前述した座椅子等に本発明の足マッサージ機１ａを設置した場合の、他の使用方法を示すものであり、使用者が座椅子Ｃに着座した後、使用者の脛部及び足先部を脛部施療体２ａの前記施療凹部２１ａ開口側及び前記足先部施療体３ａに嵌装させ、前記背凭れ部施療体５ａの前記各背凭れ部膨縮袋５１ａ・５１ａを夫々膨縮動作させる事により、使用者の脚部全体を持上げるように揺動しつつ人体脛部並びに足先部に対するストレッチ作用を有する施療を実施する事ができる。
【００４１】
図１３は、本発明の足マッサージ機１ａを、床面或いはベッドやマットなどの表面に設置して、使用者が仰臥した姿勢で施療を施すことができるようにした場合の一実施形態を示したものであり、この場合、前記施療凹部２１ａが上方に開口するよう、脛部施療体２ａと前記座部施療体４ａと前記背凭れ部施療体５ａとを一列に配置し、該足マッサージ機１ａの上に仰臥した姿勢の使用者が背部から足先に掛けての全身施療を受ける事ができるようにした場合を例示している。
【００４２】
尚、前記座部施療体４ａの座部膨縮袋４１ａや前記背凭れ部施療体５ａの背凭れ部膨縮袋５１ａの配置や個数は、任意且つ適宜に設定する事ができるものであり、例えば図１４に示したように、座部施療体４ａの座部膨縮袋４１ａを長さ方向に三列に配すると共に、背凭れ部施療体５ａの背凭れ部膨縮袋５１ａを長さ方向に三列に配設する事もできる。
【００４３】
以上のように構成した本発明の足マッサージ機１ａを使用するにあっては、制御部８ａで制御された空気給排装置７ａからの空気給排気により、背凭れ部施療体５ａの上部背凭れ部膨縮袋５１ａと中間背凭れ部膨縮袋５１ａと下部背凭れ部膨縮袋５１ａ及び座部施療体４ａの後部座部膨縮袋４１ａと中間座部膨縮袋４１ａと前部座部膨縮袋４１ａとを順次一定方向或いは往復方向又は同時に膨縮させる事で、使用者の背部から大腿部にかけての全身をローリング施療する事ができる。
【００４４】
図１５及び図１６は、本発明の足マッサージ機１ａの他の実施形態を示したものであり、該足マッサージ機１ａは、座部施療体４ａの外装部材である外装被覆部材４２ａと、背凭れ部施療体５ａの外装部材である外装被覆部材５２ａとが座部施療体４ａと背凭れ部施療体５ａ間に設けた回動連結部６を覆い隠すようにして連結して構成したものを例示している。
【００４５】
このように構成した本発明の足マッサージ機１ａを使用する事により、背凭れ部施療体５ａから座部施療体４ａにかけて一体的で美感のある外観を形成することができると共に、座部施療体４ａと背凭れ部施療体５ａとの間の挟み込みによる危険防止の効果をも有するものとなる。
【００４６】
尚、図１５で示した足マッサージ機１ａには、脛部施療体２ａの左右両側に手をかけて持ち運べる把持部２５ａ・２９ａを夫々設けているので、足マッサージ機１ａを移動させる場合等にこの把持部２５ａ・２９ａを利用して移動を容易にする事ができる。
【００４７】
更に、上記本発明の足マッサージ機１ａにおける施療機構は、膨縮袋を利用した場合を例示したが、該施療機構を膨縮袋に変えて他の機構を採用しても良く、例えば、揉み機構や叩き機構の他、指圧機構やローリング機構及び振動機構等を採用して、揉み施療や叩き施療の他、指圧施療やローリング施療及び振動施療等を行なわせるようにしても良い。
【図面の簡単な説明】
【００４８】
【図１】本発明の足マッサージ機の一実施形態を示す斜視図である。
【図２】本発明の足マッサージ機の一実施形態を示す斜視図である。
【図３】本発明の足マッサージ機の一実施形態を示す斜視図である。
【図４】本発明の足マッサージ機の一実施形態を示す斜視図である。
【図５】本発明の足マッサージ機の一実施形態を示す斜視図である。
【図６】本発明の足マッサージ機における脛部施療体及び足先部施療体の一実施形態を示す平面説明図である。
【図７】本発明の足マッサージ機における座部施療体及び背凭れ部施療体の一実施形態を示す側断面説明図である。
【図８】本発明の足マッサージ機における使用状態の一実施形態を示す側面説明図である。
【図９】本発明の足マッサージ機における使用状態の一実施形態を示す側面説明図である。
【図１０】本発明の足マッサージ機における使用状態の一実施形態を示す側面説明図である。
【図１１】本発明の足マッサージ機における使用状態の一実施形態を示す側面説明図である。
【図１２】本発明の足マッサージ機における使用状態の一実施形態を示す側面説明図である。
【図１３】本発明の足マッサージ機における使用状態の一実施形態を示す側面説明図である。
【図１４】本発明の足マッサージ機における使用状態の一実施形態を示す側面説明図である。
【図１５】本発明の足マッサージ機における他の実施形態を示す斜視図である。
【図１６】本発明の足マッサージ機における他の実施形態を示す斜視図である。
【図１７】従来技術図面である。
【符号の説明】
【００４９】
１ａ  足マッサージ機
２ａ  脛部施療体
２１ａ  施療凹部
２２ａ  上脛部膨縮袋
２３ａ  下脛部膨縮袋
２４ａ  回動連結部
２５ａ  把持部
２６ａ  進退機構
２６１ａ  進退棒
２６２ａ  バネ材
２７ａ  回動用膨縮袋
３ａ  足先部施療体
３１ａ  施療孔部
３１１ａ  底部
３１２ａ  側壁部
３２ａ  足頸側部膨縮袋
３３ａ  足先側部膨縮袋
３４ａ  足裏爪先部膨縮袋
３５ａ  足裏土不踏部膨縮袋
３６ａ  足裏踵部膨縮袋
４ａ  座部施療体
４１ａ  座部膨縮袋
４２ａ  外装被覆部材
４３ａ  剛性部材
４４ａ  弾性部材
５ａ  背凭れ部施療体
５１ａ  背凭れ部膨縮袋
５２ａ  外装被覆部材
５３ａ  剛性部材
５３１ａ  孔部
５４ａ  弾性部材
６ａ  回動連結部
７ａ  空気給排装置
８ａ  制御部
８１ａ  操作部
Ｃ  椅子
【図１】
2006130101.tif 000003
【図２】
2006130101.tif 000004
【図３】
2006130101.tif 000005
【図４】
2006130101.tif 000006
【図５】
2006130101.tif 000007
【図６】
2006130101.tif 000008
【図７】
2006130101.tif 000009
【図８】
2006130101.tif 000010
【図９】
2006130101.tif 000011
【図１０】
2006130101.tif 000012
【図１１】
2006130101.tif 000013
【図１２】
2006130101.tif 000014
【図１３】
2006130101.tif 000015
【図１４】
2006130101.tif 000016
【図１５】
2006130101.tif 000017
【図１６】
2006130101.tif 000018
【図１７】
2006130101.tif 000019